(57)【特許請求の範囲】
【請求項１】
送信機と受信機とを含む無線通信システムであって、
前記送信機が、
報知情報が変更された場合に、報知情報の変更情報を修正履歴として生成する修正履歴生成部と、
前記修正履歴生成部において生成される修正履歴を含む報知情報を送信する送信部と
を有し、
前記受信機が、
報知情報を記憶する記憶部と、
前記送信部によって送信される報知情報のうち修正履歴を受信する受信部と、
前記受信部において受信される修正履歴に含まれる変更情報に基づいて、前記記憶部に記憶されている報知情報を更新する更新部と
を有することを特徴とする無線通信システム。
【請求項２】
前記送信機は、
報知情報が変更されたことを通知する通知部をさらに有し、
前記受信部は、
前記通知部から報知情報が変更されたことを通知された場合に、前記送信部によって送信される報知情報のうち修正履歴を受信する
ことを特徴とする請求項１に記載の無線通信システム。
【請求項３】
前記修正履歴生成部は、
報知情報の種別毎に該報知情報が設定されたデータ領域であるブロックを有する報知情報を生成し、
前記受信部は、
前記送信部によって送信される報知情報のうち報知情報を識別する識別番号が含まれるブロックを受信し、該ブロックに含まれる識別番号が当該の受信機が保持する報知情報の識別番号と異なる場合に、前記送信部によって送信される報知情報のうち修正履歴が含まれるブロックを受信する
ことを特徴とする請求項１に記載の無線通信システム。
【請求項４】
前記修正履歴生成部は、
報知情報を識別する識別番号と、該識別番号が示す報知情報において変更された変更情報とが対応付けられた修正履歴を生成し、
前記更新部は、
前記受信部において受信される修正履歴に含まれる変更情報のうち、当該の受信機が保持する報知情報の識別番号と異なる識別番号に対応する変更情報に基づいて、前記記憶部に記憶されている報知情報を更新する
ことを特徴とする請求項１〜３のいずれか一つに記載の無線通信システム。
【請求項５】
前記修正履歴生成部は、
報知情報の変更日時と、該変更日時において変更された変更情報とが対応付けられた修正履歴を生成し、
前記更新部は、
前記受信部において受信される修正履歴に含まれる変更情報のうち、当該の受信機が保持する報知情報の変更日時と異なる変更日時に対応する変更情報に基づいて、前記記憶部に記憶されている報知情報を更新する
ことを特徴とする請求項１〜３のいずれか一つに記載の無線通信システム。
【請求項６】
前記修正履歴生成部は、
報知情報の種別毎に該報知情報が設定されたデータ領域であるブロックと、報知情報の識別番号と報知情報の修正履歴とを含むブロックとを有する報知情報を生成し、
前記受信部は、
前記送信部によって送信される報知情報のうち、報知情報の識別番号と報知情報の修正履歴とを含むブロックを受信し、
前記更新部は、
前記受信部において受信されるブロックに含まれる識別番号が当該の受信機が保持する報知情報の識別番号と異なる場合に、該ブロックに含まれる修正履歴に基づいて、前記記憶部に記憶されている報知情報を更新する
ことを特徴とする請求項１に記載の無線通信システム。
【請求項７】
前記修正履歴生成部は、
報知情報の種別毎に該報知情報が設定されたデータ領域であるブロックと、報知情報が変更されたブロックを識別するブロック番号を含む修正履歴が設定されたブロックとを有する報知情報を生成し、
前記受信部は、
前記送信部によって送信される報知情報のうち、前記修正履歴に含まれるブロック番号が示すブロックを受信し、
前記更新部は、前記受信部において受信されるブロックに含まれる報知情報に基づいて、前記記憶部に記憶されている報知情報を更新する
ことを特徴とする請求項１に記載の無線通信システム。
【請求項８】
報知情報が変更された場合に、報知情報の変更情報を修正履歴として生成する修正履歴生成部と、
前記修正履歴生成部において生成される修正履歴を含む報知情報を送信する送信部と
を有することを特徴とする送信機。
【請求項９】
基地局から送信される報知情報を記憶する記憶部と、
前記基地局によって送信される報知情報のうち、報知情報の変更情報の修正履歴を受信する受信部と、
前記受信部において受信される修正履歴に含まれる変更情報に基づいて、前記記憶部に記憶されている報知情報を更新する更新部と
を有することを特徴とする受信機。
【請求項１０】
送信機と受信機とを含む無線通信システムによる報知情報送受信方法であって、
報知情報が変更された場合に、報知情報の変更情報を修正履歴として生成し、
前記生成される修正履歴を含む報知情報を前記送信機から送信し、
前記送信される報知情報のうち修正履歴を前記受信機で受信し、
前記受信される修正履歴に含まれる変更情報に基づいて、報知情報を記憶する記憶部に記憶されている報知情報を更新する、
ことを含む報知情報送受信方法。
【発明の詳細な説明】
【技術分野】
【０００１】
本発明は、無線通信システム、送信機、受信機及び報知情報送受信方法に関する。
【背景技術】
【０００２】
従来、セル方式による無線通信システムにおいて、基地局は、自装置が形成するセル内に報知情報を定期的に送信する。報知情報とは、セル内に位置する移動体端末によって無線通信を行う際に用いられる各種情報である。例えば、報知情報は、セルを識別するセルＩＤ、ページング周期、周辺セルに関する情報等を含む。【０００３】
図１７に、従来の基地局によって送信される報知情報の一例を示す。図１７に示すように、報知情報は、複数のＳＩＢ（System  Information  Block）を含む。図１７に示した例では、報知情報は、１１個のＳＩＢ１〜ＳＩＢ１１を含む。ＳＩＢ１〜ＳＩＢ１１は、各々異なる情報を含む。例えば、ＳＩＢ１は、報知情報が更新されるたびに基地局によってインクリメントされる「Ｖａｌｕｅ  ｔａｇ」等を含む。また、例えば、ＳＩＢ２は、ページング周期に関する情報等を含む。また、例えば、ＳＩＢ３は、他のセルへ移行するための条件等を含む。他のＳＩＢ４〜ＳＩＢ１１も、報知情報に関する各種情報を含む。【０００４】
図１７に示した例では、基地局は、７２０［ｍｓ］が経過するたびに、ＳＩＢ１〜ＳＩＢ１１を含む報知情報を送信している。そして、移動体端末は、電源が投入された場合や、セルを移行した場合や、報知情報が変更された場合や、一定時間が経過した場合等に、報知情報を受信して、受信した報知情報を自装置内に記憶する。これにより、移動体端末は、電源投入時やセル移行時においても無線通信を行うことができる。
【先行技術文献】
【非特許文献】
【０００５】
【非特許文献１】3GPP  TS  36.331  V9.1.0  (2009-12),  "Evolved  Universal  Terrestrial  Radio  Access  (E-UTRA);  Radio  Resource  Control  (RRC);  Protocol  specification  (Release  9)"
【発明の概要】
【発明が解決しようとする課題】
【０００６】
しかしながら、上記の従来技術には、報知情報の受信処理にかかる消費電力が増大するという問題がある。かかる問題について、図１８及び図１９に示す例を用いて具体的に説明する。【０００７】
図１８及び図１９は、従来の基地局及び移動体端末における報知情報の送受信処理の一例を示す図である。図１８に示した例において、移動体端末９２は、基地局９１によって形成されるセル内に位置するものとする。そして、移動体端末９２は、電源が投入されており、既に報知情報を基地局９１から受信しており、待機（待ち受け）状態であるものとする。【０００８】
図１８に示すように、基地局９１は、ＳＩＢ１〜ＳＩＢ１１を含む報知情報を定期的に送信している。ここで、ＳＩＢ２に含まれる報知情報が変更されたものとする。かかる場合に、基地局９１は、報知情報が変更されたことを通知するために、ページングを送信する。移動体端末９２は、基地局９１からページングを受信した場合に、報知情報が変更されたことを検知し、基地局９１から送信される報知情報を受信する。このとき、移動体端末９２は、報知情報に含まれる全てのＳＩＢ１〜ＳＩＢ１１を受信して、自装置内で保持している全ての報知情報を更新する。【０００９】
このように、移動体端末９２は、報知情報が変更されたことを通知された場合に、基地局９１から送信される全ての報知情報を受信する。したがって、移動体端末９２は、図１８の下段に示すように、ＳＩＢ１〜ＳＩＢ１１を受信する際に受信電力を消費する。このため、移動体端末９２では、報知情報の受信処理にかかる消費電力が増大する。【００１０】
また、図１９に示した例において、移動体端末９２は、基地局９１によって形成されるセルから他のセルに移動した後に、再度、基地局９１のセル内に移動したものとする。また、ＳＩＢ１には、セルＩＤと「Ｖａｌｕｅ  ｔａｇ」が含まれるものとする。【００１１】
移動体端末９２は、セルを移動した場合であっても、受信済みの報知情報を履歴情報として保持する。そして、移動体端末９２は、基地局９１のセル内に再度移動した場合に、基地局９１から送信される報知情報のうち、セルＩＤや「Ｖａｌｕｅ  ｔａｇ」が含まれるＳＩＢ１を受信する。そして、移動体端末９２は、ＳＩＢ１に含まれるセルＩＤと、自装置内に保持している報知情報に含まれるセルＩＤとが一致するか否かを判定する。そして、移動体端末９２は、双方のセルＩＤが一致する場合には、基地局９１から受信したＳＩＢ１に含まれる「Ｖａｌｕｅ  ｔａｇ」と、自装置内に保持している報知情報の「Ｖａｌｕｅ  ｔａｇ」とを比較する。【００１２】
そして、移動体端末９２は、セルＩＤが異なる場合や、「Ｖａｌｕｅ  ｔａｇ」が異なる場合には、基地局９１から送信される全ての報知情報を受信する。そして、移動体端末９２は、自装置内で保持している全ての報知情報を基地局９１から受信した報知情報に更新する。【００１３】
このように、移動体端末９２は、セルを移動した場合に、基地局９１から送信される全ての報知情報を受信することがある。したがって、移動体端末９２は、図１９の下段に示すように、ＳＩＢ１〜ＳＩＢ１１を受信する際に受信電力を消費する。このため、移動体端末９２では、報知情報の受信処理にかかる消費電力が増大する。なお、移動体端末９２は、電源が投入された場合や、圏外から圏内に移動した場合にも、ＳＩＢ１を受信して、セルＩＤや「Ｖａｌｕｅ  ｔａｇ」が異なる場合には、全ての報知情報を受信する。このため、移動体端末９２では、電源が投入された場合や圏外から圏内に移動した場合にも、報知情報の受信処理にかかる消費電力が増大する。【００１４】
開示の技術は、上記に鑑みてなされたものであって、報知情報の受信処理にかかる消費電力を低減することができる無線通信システム、送信機、受信機及び報知情報送受信方法を提供することを目的とする。
【課題を解決するための手段】
【００１５】
本願の開示する無線通信システムは、一つの態様において、送信機と受信機とを含む無線通信システムであって、前記送信機が、報知情報が変更された場合に、報知情報の変更情報を修正履歴として生成する修正履歴生成部と、前記修正履歴生成部において生成される修正履歴を含む報知情報を送信する送信部とを有し、前記受信機が、報知情報を記憶する記憶部と、前記送信部によって送信される報知情報のうち修正履歴を受信する受信部と、前記受信部において受信される修正履歴に含まれる変更情報に基づいて、前記記憶部に記憶されている報知情報を更新する更新部とを有する。
【発明の効果】
【００１６】
本願の開示する無線通信システムの一つの態様によれば、報知情報の受信処理にかかる消費電力を低減することができるという効果を奏する。
【図面の簡単な説明】
【００１７】
【図１】図１は、実施例１に係る無線通信システムの構成例を示すブロック図である。
【図２】図２は、報知情報の送受信処理の一例を示す図である。
【図３】図３は、報知情報の送受信処理の一例を示す図である。
【図４】図４は、実施例２における基地局の構成例を示すブロック図である。
【図５】図５は、図４に示した修正履歴生成部によって生成される報知情報の修正履歴の一例を示す図である。
【図６】図６は、実施例２における移動体端末の構成例を示すブロック図である。
【図７】図７は、実施例２における基地局による報知情報送信処理手順を示すフローチャートである。
【図８】図８は、実施例２における移動体端末による報知情報受信処理手順を示すフローチャートである。
【図９】図９は、実施例２における移動体端末によるセル移動時の報知情報受信処理手順を示すフローチャートである。
【図１０】図１０は、「Ｖａｌｕｅ  ｔａｇ」と変更情報とが対応付けられた修正履歴の一例を示す図である。
【図１１】図１１は、報知情報の変更日時と変更情報とが対応付けられた修正履歴の一例を示す図である。
【図１２】図１２は、報知情報の送受信処理の一例を示す図である。
【図１３】図１３は、報知情報の送受信処理の一例を示す図である。
【図１４】図１４は、報知情報の送受信処理の一例を示す図である。
【図１５】図１５は、送信制御プログラムを実行するコンピュータを示す図である。
【図１６】図１６は、受信制御プログラムを実行するコンピュータを示す図である。
【図１７】図１７は、従来の基地局によって送信される報知情報の一例を示す図である。
【図１８】図１８は、従来の基地局及び移動体端末における報知情報の送受信処理の一例を示す図である。
【図１９】図１９は、従来の基地局及び移動体端末における報知情報の送受信処理の一例を示す図である。
【発明を実施するための形態】
【００１８】
以下に、本願の開示する無線通信システム、送信機、受信機及び報知情報送受信方法の実施例を図面に基づいて詳細に説明する。なお、この実施例により本願の開示する無線通信システム、送信機、受信機及び報知情報送受信方法が限定されるものではない。
【実施例１】
【００１９】
まず、図１を用いて、実施例１に係る無線通信システムについて説明する。図１は、実施例１に係る無線通信システムの構成例を示すブロック図である。図１に示すように、実施例１に係る無線通信システム１は、送信機１０と、受信機２０とを含む。送信機１０と、受信機２０とは相互に無線通信を行う。【００２０】
送信機１０は、例えば基地局等であり、図１に示すように、修正履歴生成部１１と、送信部１２とを有する。修正履歴生成部１１は、報知情報が変更された場合に、報知情報の変更情報を修正履歴として生成する。例えば、修正履歴生成部１１は、上位装置等から報知情報を変更する要求を受け付けた場合に、報知情報の修正履歴を生成する。【００２１】
なお、ここで言う「報知情報の変更情報」とは、例えば、変更前の報知情報と変更後の報知情報との差分を示す。例えば、変更前の報知情報に『ページング周期「１０」』が含まれており、変更後の報知情報『ページング周期「８」』が含まれているものとする。かかる場合には、「報知情報の変更情報」は、『ページング周期「８」』を示す。そして、「報知情報の修正履歴」には、このような報知情報の変更情報が履歴として設定される。【００２２】
送信部１２は、修正履歴生成部１１において生成される修正履歴を含む報知情報を送信する。例えば、送信部１２は、定期的に送信する報知情報に加えて、修正履歴生成部１１において生成される修正履歴を報知情報として送信する。【００２３】
受信機２０は、例えば移動体端末等であり、図１に示すように、記憶部２１と、受信部２２と、更新部２３とを有する。記憶部２１は、報知情報を記憶する。受信部２２は、送信機１０の送信部１２によって送信される報知情報のうち、修正履歴を受信する。更新部２３は、受信部２２において受信される報知情報の修正履歴に基づいて、記憶部２１に記憶されている報知情報を更新する。【００２４】
このように、実施例１に係る無線通信システム１において、送信機１０は、修正履歴を含む報知情報を送信する。そして、受信機２０は、全ての報知情報を受信するのではなく、報知情報の修正履歴を受信し、受信した修正履歴に基づいて自装置が保持する報知情報を更新する。【００２５】
これにより、実施例１における受信機２０は、報知情報が変更された場合やセルを移動した場合であっても、全ての報知情報を受信せずに、修正履歴だけを受信するので、報知情報の受信処理にかかる消費電力を低減することができる。また、受信機２０は、変更された報知情報だけを更新するので、報知情報の更新処理にかかる消費電力を低減することができる。
【実施例２】
【００２６】
次に、実施例２では、実施例１において説明した送信機１０を基地局に適用し、受信機２０を移動体端末に適用した場合を例に挙げて説明する。【００２７】
［実施例２に係る無線通信システムにおける報知情報送信処理］
まず、図２及び図３を用いて、実施例２に係る無線通信システムにおける報知情報送信処理について説明する。図２及び図３は、報知情報の送受信処理の一例を示す図である。図２に示すように、実施例２に係る無線通信システム２は、基地局１００と、移動体端末２００とを含む。【００２８】
実施例２における基地局１００は、図１８に示した例と同様に、報知情報としてＳＩＢ１〜ＳＩＢ１１を定期的に送信する。また、基地局１００は、ＳＩＢ１〜ＳＩＢ１１のうち、変更された報知情報の内容である変更情報の修正履歴を含むＳＩＢ１２を生成し、生成したＳＩＢ１２についても定期的に送信する。すなわち、基地局１００は、ＳＩＢ１〜ＳＩＢ１１と、報知情報の修正履歴を示すＳＩＢ１２とを報知情報として送信する。【００２９】
ここで、ＳＩＢ２に含まれる報知情報に変更があったものとする。かかる場合に、基地局１００は、ＳＩＢ２の変更情報を含むＳＩＢ１２を生成する。例えば、ＳＩＢ２には、ページング周期に関する情報が含まれるものとする。そして、ページング周期が「１０」から「８」に変更されたものとする。かかる場合に、基地局１００は、ＳＩＢ２の内容を『ページング周期「８」』に更新するとともに、『ページング周期「８」』を含むＳＩＢ１２を生成する。そして、基地局１００は、変更後のＳＩＢ２及びＳＩＢ１２を含む報知情報を送信する。また、基地局１００は、報知情報が変更されたことを通知するために、ページングを送信する。【００３０】
そして、実施例２における移動体端末２００は、基地局１００からページングを受信した場合に、着呼であるか否かを判定する。そして、移動体端末２００は、着呼でない場合には、報知情報が変更されたと判定する。そして、移動体端末２００は、図２に示した例のように、基地局１００から送信される報知情報のうち、報知情報の修正履歴が含まれるＳＩＢ１２を受信する。そして、移動体端末２００は、ＳＩＢ１２の修正履歴に含まれる変更情報に基づいて、自装置が保持する報知情報を更新する。例えば、上記例のように、ＳＩＢ１２に『ページング周期「８」』が含まれる場合には、自装置が保持するページング周期を「８」に更新する。【００３１】
このように、基地局１００は、報知情報が変更された場合に、報知情報の修正履歴を含むＳＩＢを送信する。そして、移動体端末２００は、報知情報が変更されたことを検知した場合に、基地局１００から送信される報知情報のうち、報知情報の修正履歴を含むＳＩＢを受信することにより報知情報を更新する。これにより、基地局１００は、報知情報が変更された場合であっても修正履歴を含むＳＩＢだけを受信するので、報知情報の受信処理にかかる消費電力を低減することができるとともに、報知情報の更新処理にかかる消費電力を低減することができる。【００３２】
次に、図３に示した例において、基地局１００は、図２に示した例と同様に、ＳＩＢ１〜ＳＩＢ１２を定期的に送信する。ここでは、図２に示した例と同様に、ＳＩＢ２に含まれる報知情報に変更があったものとする。また、ＳＩＢ１には、セルＩＤと「Ｖａｌｕｅ  ｔａｇ」が含まれるものとする。【００３３】
図３に示した移動体端末２００は、基地局１００によって形成されるセルから他のセルに移動した後に、基地局１００によって形成されるセル内に再度移動したものとする。なお、移動体端末２００は、他のセルに移動した後にも、基地局１００のセルに位置していた際に基地局１００から受信した報知情報を保持しているものとする。【００３４】
かかる場合に、移動体端末２００は、基地局１００から送信される報知情報のうち、「Ｖａｌｕｅ  ｔａｇ」が含まれるＳＩＢ１を受信する。そして、移動体端末２００は、自装置内に保持する報知情報のうち、ＳＩＢ１に含まれるセルＩＤと一致する報知情報が存在するか否かを判定する。そして、移動体端末２００は、ＳＩＢ１に含まれるセルＩＤと一致する報知情報が存在する場合には、かかる報知情報の「Ｖａｌｕｅ  ｔａｇ」と、ＳＩＢ１に含まれる「Ｖａｌｕｅ  ｔａｇ」とが一致するか否かを判定する。【００３５】
ここでは、移動体端末２００は、ＳＩＢ１に含まれるセルＩＤと一致するが、ＳＩＢ１に含まれる「Ｖａｌｕｅ  ｔａｇ」と一致しない報知情報を保持しているものとする。かかる場合に、移動体端末２００は、図３に示した例のように、報知情報の修正履歴が含まれるＳＩＢ１２を受信する。そして、移動体端末２００は、ＳＩＢ１２の修正履歴に含まれる変更情報に基づいて、自装置が保持する報知情報を更新する。【００３６】
このように、移動体端末２００は、セルを移動した場合に、基地局１００から送信される報知情報のうち、まず、「Ｖａｌｕｅ  ｔａｇ」が含まれるＳＩＢを受信し、自装置が保持する報知情報と一致するか否かを判定する。そして、移動体端末２００は、セルＩＤが一致するが、「Ｖａｌｕｅ  ｔａｇ」が一致しない報知情報を保持している場合には、報知情報の修正履歴を含むＳＩＢを受信することにより報知情報を更新する。これにより、移動体端末２００は、セルを移動した場合であっても修正履歴を含むＳＩＢだけを受信するので、報知情報の受信処理にかかる消費電力を低減することができるとともに、報知情報の更新処理にかかる消費電力を低減することができる。【００３７】
なお、上記の図２及び図３に示した例では、基地局１００が、報知情報を含むＳＩＢ１〜ＳＩＢ１１と、報知情報の修正履歴を含むＳＩＢ１２とを送信する例を示した。しかし、基地局１００が送信するＳＩＢの数は図２及び図３に示した例に限定されない。例えば、基地局１００は、報知情報を含むＳＩＢ１〜ＳＩＢ１５を送信する場合には、ＳＩＢ１〜ＳＩＢ１５とともに、報知情報の修正履歴を含むＳＩＢ１６を送信してもよい。かかる場合には、移動体端末２００は、ＳＩＢ１６を受信することにより、報知情報の修正履歴を取得する。【００３８】
また、上記の図２及び図３に示した例では、１個のＳＩＢ１２に報知情報の修正履歴が含まれる例を示した。しかし、基地局１００は、報知情報の修正履歴を含む複数のＳＩＢを送信してもよい。例えば、基地局１００は、報知情報を含むＳＩＢ１〜ＳＩＢ１５を送信する場合に、ＳＩＢ１〜ＳＩＢ１５とともに、報知情報の修正履歴を含むＳＩＢ１６及びＳＩＢ１７を送信してもよい。かかる場合には、移動体端末２００は、ＳＩＢ１６及びＳＩＢ１７を受信することにより、報知情報の修正履歴を取得する。【００３９】
［実施例２における基地局の構成］
次に、図４を用いて、実施例２における基地局１００の構成について説明する。図４は、実施例２における基地局１００の構成例を示すブロック図である。なお、図４では、基地局１００による報知情報送信処理に関する部位を示している。【００４０】
図４に示すように、実施例２における基地局１００は、ページング生成部１０１と、符号化部１０２と、変調部１０３と、報知情報生成部１０４と、修正履歴生成部１０５と、報知情報バッファ１０６とを有する。【００４１】
ページング生成部１０１は、移動体端末２００に対して送信するページング情報を生成する。例えば、ページング生成部１０１は、上位装置等から着呼要求を受け付けた場合に、ページング情報を生成する。また、例えば、ページング生成部１０１は、後述する報知情報生成部１０４から報知情報が変更された旨の通知を受け付けた場合に、ページング情報を生成する。【００４２】
符号化部１０２は、ページング生成部１０１によって生成されるページング情報を符号化する。変調部１０３は、符号化部１０２によって符号されたページング情報を変調する。そして、変調部１０３は、変調後のページング情報を無線送信部１１０に出力する。これにより、ページング情報は、無線送信部１１０、アンテナ１１１を介して外部へ送信される。【００４３】
報知情報生成部１０４は、報知情報を生成する。具体的には、報知情報生成部１０４は、上位装置等から報知情報の変更要求を受け付けた場合に、かかる変更要求に基づいて、報知情報を生成する。このとき、報知情報生成部１０４は、現在の「Ｖａｌｕｅ  ｔａｇ」をインクリメントして、インクリメント後の「Ｖａｌｕｅ  ｔａｇ」を含む報知情報を生成する。また、報知情報生成部１０４は、修正履歴生成部１０５に報知情報の変更情報を出力する。これにより、修正履歴生成部１０５によって報知情報の修正履歴が生成される。そして、報知情報生成部１０４は、自身が生成した報知情報と、修正履歴生成部１０５によって生成された報知情報の修正履歴とを報知情報バッファ１０６に格納する。【００４４】
また、報知情報生成部１０４は、ページング生成部１０１に対して、報知情報が変更された旨を通知する。これにより、ページング生成部１０１は、報知情報が変更された場合に、ページング情報を生成することができ、基地局１００によって形成されるセル内にページング情報を送信することができる。【００４５】
修正履歴生成部１０５は、報知情報生成部１０４から受け付ける報知情報の変更情報に基づいて、報知情報の修正履歴を生成する。そして、修正履歴生成部１０５は、生成した報知情報の修正履歴を報知情報生成部１０４に出力する。【００４６】
報知情報バッファ１０６は、報知情報を記憶する。かかる報知情報バッファ１０６に記憶されている報知情報は、報知情報が変更された場合に、報知情報生成部１０４によって更新される。【００４７】
上記の報知情報生成部１０４、修正履歴生成部１０５、報知情報バッファ１０６について、図２に示した例を用いて説明する。報知情報バッファ１０６は、報知情報として、ＳＩＢ１〜ＳＩＢ１２を記憶する。報知情報生成部１０４は、上位装置から、ＳＩＢ２に含まれる報知情報を変更する旨の要求を受け付けた場合に、かかる変更要求に従ってＳＩＢ２を生成するとともに、修正履歴生成部１０５に報知情報の変更情報を出力する。修正履歴生成部１０５は、報知情報生成部１０４から受け付ける報知情報の変更情報に基づいて、報知情報の修正履歴を含むＳＩＢ１２を生成し、生成したＳＩＢ１２を報知情報生成部１０４へ出力する。そして、報知情報生成部１０４は、報知情報バッファ１０６に記憶されているＳＩＢ２及びＳＩＢ１２を、自身が生成したＳＩＢ２及び修正履歴生成部１０５から受け付けたＳＩＢ１２に更新する。なお、報知情報生成部１０４は、「Ｖａｌｕｅ  ｔａｇ」をインクリメントすることによりＳＩＢ１に含まれる報知情報を変更した場合には、報知情報バッファ１０６に記憶されているＳＩＢ１を、「Ｖａｌｕｅ  ｔａｇ」がインクリメントされたＳＩＢ１に更新する。【００４８】
また、基地局１００は、図４に示すように、送信タイミング制御部１０７と、符号化部１０８と、変調部１０９と、無線送信部１１０と、アンテナ１１１とを有する。送信タイミング制御部１０７は、報知情報を送信するタイミングを制御する。例えば、送信タイミング制御部１０７は、７２０［ｍｓ］が経過するたびに、報知情報バッファ１０６に対して、報知情報を符号化部１０８に出力するように指示する。【００４９】
符号化部１０８は、報知情報バッファ１０６から出力される報知情報を符号化する。変調部１０９は、符号化部１０８によって符号化された報知情報を変調する。無線送信部１１０は、変調部１０３から入力されるページング情報や、変調部１０９から入力される報知情報を、アンテナ１１１を介して外部を送信する。【００５０】
次に、図５を用いて、図４に示した修正履歴生成部１０５によって生成される報知情報の修正履歴について説明する。図５は、図４に示した修正履歴生成部１０５によって生成される報知情報の修正履歴の一例を示す図である。【００５１】
図５に示した例において、修正履歴生成部１０５は、修正履歴Ｒ１１、修正履歴Ｒ１２、修正履歴Ｒ１３の順に、報知情報の修正履歴を生成する。具体的には、修正履歴生成部１０５は、まず、報知情報生成部１０４から、変更情報『セルＩＤ「ＸＸＸ」への移行条件である受信電力を「３ｄＢ」へ変更』を受け付けたものとする。かかる場合に、修正履歴生成部１０５は、図５に示した例のように、修正履歴Ｒ１１を生成する。【００５２】
その後に、修正履歴生成部１０５は、報知情報生成部１０４から、変更情報『周辺セルリストからセルＩＤ「ＹＹＹ」を削除』と、変更情報『周辺セルリストからセルＩＤ「ＺＺＺ」を削除』を受け付けたものとする。かかる場合に、修正履歴生成部１０５は、図５に示した例のように、修正履歴Ｒ１１に新たな変更情報を追加した修正履歴Ｒ１２を生成する。【００５３】
その後に、修正履歴生成部１０５は、報知情報生成部１０４から、変更情報『ページング周期を「８」に変更』を受け付けたものとする。かかる場合に、修正履歴生成部１０５は、図５に示した例のように、修正履歴Ｒ１２に新たな変更内容を追加した修正履歴Ｒ１３を生成する。【００５４】
このように、修正履歴生成部１０５は、報知情報生成部１０４から報知情報の変更情報を通知されるたびに、報知情報の修正履歴を生成する。なお、修正履歴生成部１０５は、定期的に報知情報の修正履歴に含まれる変更情報を削除してもよい。例えば、修正履歴生成部１０５は、報知情報の修正履歴に追加してから所定の時間が経過した変更情報を削除してもよい。また、例えば、修正履歴生成部１０５は、ＳＩＢに設定可能な情報量を超えた場合には、最も古い変更情報から順に削除してもよい。【００５５】
［実施例２における移動体端末の構成］
次に、図６を用いて、実施例２における移動体端末２００の構成について説明する。図６は、実施例２における移動体端末２００の構成例を示すブロック図である。なお、図６では、移動体端末２００による報知情報受信処理に関する部位を示している。【００５６】
図６に示すように、実施例２における移動体端末２００は、アンテナ２０１と、無線受信部２０２と、復調部２０３と、復号化部２０４と、報知情報バッファ２０５と、報知情報処理部２０６と、ページング処理部２０７と、受信タイミング制御部２０８とを有する。【００５７】
アンテナ２０１は、外部から信号を受信する。例えば、アンテナ２０１は、基地局１００からページング情報や、報知情報を受信する。無線受信部２０２は、アンテナ２０１を介して外部から各種信号を受信する。なお、無線受信部２０２による処理は、受信タイミング制御部２０８とともに後に説明する。【００５８】
復調部２０３は、無線受信部２０２によって受信されたページング情報や報知情報等を復調する。復号化部２０４は、復調部２０３によって復調されたページング情報や報知情報等を復号化する。そして、復号化部２０４は、ページング情報を復号化した場合には、復号化のページング情報をページング処理部２０７に出力する。また、復号化部２０４は、報知情報を復号化した場合には、復号化の報知情報を報知情報処理部２０６に出力する。【００５９】
報知情報バッファ２０５は、報知情報を記憶する。なお、報知情報バッファ２０５は、複数の報知情報を記憶する。例えば、移動体端末２００がセルＡからセルＢへ移動したものとする。かかる場合に、報知情報バッファ２０５は、移動先のセルＢにおいて基地局から受信した報知情報を記憶するとともに、移動体端末２００がセルＡにおいて基地局から受信した報知情報も記憶する。【００６０】
報知情報処理部２０６は、復号化部２０４によって復号化された後の報知情報を用いて、報知情報の更新処理等を行う。具体的には、報知情報処理部２０６は、復号化部２０４から報知情報の修正履歴を含むＳＩＢが入力された場合には、報知情報の修正履歴に含まれる変更情報を報知情報バッファ２０５に格納する。【００６１】
例えば、図２に示した例では、報知情報処理部２０６は、復号化部２０４からＳＩＢ１２を入力される。かかる場合に、報知情報処理部２０６は、ＳＩＢ１２内の修正履歴に含まれる変更情報を報知情報バッファ２０５に格納する。【００６２】
また、報知情報処理部２０６は、復号化部２０４からセルＩＤや「Ｖａｌｕｅ  ｔａｇ」を含むＳＩＢが入力された場合には、かかるＳＩＢに含まれるセルＩＤと一致する報知情報が報知情報バッファ２０５に記憶されているか否かを判定する。そして、報知情報処理部２０６は、ＳＩＢに含まれるセルＩＤと一致する報知情報が報知情報バッファ２０５に記憶されていない場合には、受信タイミング制御部２０８に対して、全てのＳＩＢを受信するように指示する。【００６３】
また、報知情報処理部２０６は、ＳＩＢに含まれるセルＩＤと一致する報知情報が記憶されている場合には、ＳＩＢに含まれるセルＩＤ及び「Ｖａｌｕｅ  ｔａｇ」と一致する報知情報が報知情報バッファ２０５に記憶されているか否かを判定する。そして、報知情報処理部２０６は、双方の「Ｖａｌｕｅ  ｔａｇ」が一致する場合には、報知情報バッファ２０５に記憶されている報知情報を更新しなくてよいので処理を終了する。一方、報知情報処理部２０６は、双方の「Ｖａｌｕｅ  ｔａｇ」が一致しない場合には、受信タイミング制御部２０８に対して、報知情報の修正履歴を含むＳＩＢを受信するように指示する。【００６４】
例えば、図３に示した例では、報知情報処理部２０６は、復号化部２０４からＳＩＢ１を入力される。かかる場合に、報知情報処理部２０６は、ＳＩＢ１に含まれるセルＩＤと一致する報知情報が報知情報バッファ２０５に記憶されているか判定する。そして、報知情報処理部２０６は、ＳＩＢ１に含まれるセルＩＤと一致する報知情報が報知情報バッファ２０５に記憶されていない場合には、受信タイミング制御部２０８に対して、全てのＳＩＢ１〜ＳＩＢ１２を受信するように指示する。【００６５】
また、報知情報処理部２０６は、ＳＩＢ１に含まれるセルＩＤと一致する報知情報が報知情報バッファ２０５に記憶されている場合には、ＳＩＢ１に含まれる「Ｖａｌｕｅ  ｔａｇ」と一致する報知情報が報知情報バッファ２０５に記憶されているか判定する。そして、報知情報処理部２０６は、ＳＩＢ１に含まれる「Ｖａｌｕｅ  ｔａｇ」と一致する報知情報が報知情報バッファ２０５に記憶されている場合には、処理を終了する。一方、報知情報処理部２０６は、ＳＩＢ１に含まれる「Ｖａｌｕｅ  ｔａｇ」と一致する報知情報が報知情報バッファ２０５に記憶されていない場合には、受信タイミング制御部２０８に対して、報知情報の修正履歴を含むＳＩＢ１２を受信するように指示する。【００６６】
ページング処理部２０７は、復号化部２０４によって復号化された後のページング情報に基づいて、受信タイミング制御部２０８に対して報知情報を受信するように指示する。具体的には、ページング処理部２０７は、復号化部２０４からページング情報を入力された場合に、着呼であるか否かを判定する。そして、ページング処理部２０７は、着呼でない場合には、報知情報が変更されたと判定する。そして、ページング処理部２０７は、受信タイミング制御部２０８に対して、報知情報の修正履歴を含むＳＩＢを受信するように指示する。【００６７】
例えば、図２に示した例では、基地局１００は、移動体端末２００に対して、報知情報が変更されたことを示すページングを送信する。かかる場合に、ページング処理部２０７は、受信タイミング制御部２０８に対して、報知情報の修正履歴を含むＳＩＢ１２を受信するように指示する。【００６８】
受信タイミング制御部２０８は、報知情報処理部２０６及びページング処理部２０７からの指示に従って、無線受信部２０２による受信タイミングを制御する。具体的には、受信タイミング制御部２０８は、報知情報処理部２０６やページング処理部２０７から、報知情報の修正履歴を含むＳＩＢを受信するように指示された場合には、かかるＳＩＢを受信するように無線受信部２０２を制御する。また、受信タイミング制御部２０８は、報知情報処理部２０６から、全てのＳＩＢを受信するように指示された場合には、全てのＳＩＢを受信するように無線受信部２０２を制御する。また、受信タイミング制御部２０８は、移動体端末２００がセルを移動した場合には、「Ｖａｌｕｅ  ｔａｇ」が含まれるＳＩＢを受信するように無線受信部２０２を制御する。【００６９】
［実施例２における基地局による報知情報送信処理手順］
次に、図７を用いて、実施例２における基地局１００による報知情報送信処理の手順について説明する。図７は、実施例２における基地局１００による報知情報送信処理手順を示すフローチャートである。【００７０】
図７に示すように、基地局１００の報知情報生成部１０４は、報知情報の変更要求を受け付けた場合に（ステップＳ１０１肯定）、かかる変更要求に基づいて、変更対象のＳＩＢを生成する（ステップＳ１０２）。そして、報知情報生成部１０４は、報知情報の変更情報を修正履歴生成部１０５に出力する。【００７１】
修正履歴生成部１０５は、報知情報生成部１０４から入力される報知情報の変更情報に基づいて、報知情報の修正履歴を含むＳＩＢを生成する（ステップＳ１０３）。そして、報知情報生成部１０４は、ステップＳ１０２において生成したＳＩＢと、修正履歴生成部１０５によって生成されたＳＩＢとを報知情報バッファ１０６に格納する。【００７２】
続いて、送信タイミング制御部１０７は、報知情報を送信するタイミングになった場合に（ステップＳ１０４肯定）、報知情報バッファ１０６に対して、報知情報を符号化部１０８に出力するように指示する。かかる指示を受け付けた場合に、報知情報バッファ１０６は、報知情報を符号化部１０８に出力する。これにより、基地局１００は、自装置が形成するセル内に、報知情報バッファ１０６に記憶されている報知情報を送信する（ステップＳ１０５）。【００７３】
そして、報知情報生成部１０４は、報知情報を変更した場合には（ステップＳ１０６肯定）、ページング生成部１０１に対してページングを送信するように指示する。これにより、ページング生成部１０１は、ページング情報を生成し、符号化部１０２、変調部１０３、無線送信部１１０を介して、ページングを送信する（ステップＳ１０７）。【００７４】
そして、基地局１００は、ステップＳ１０１における処理に戻る。また、基地局１００は、報知情報を変更していない場合には（ステップＳ１０６否定）、ページングを送信せずに、ステップＳ１０１における処理に戻る。【００７５】
なお、報知情報の変更要求を受け付けない場合であっても（ステップＳ１０１否定）、基地局１００は、報知情報を送信するタイミングになった場合に（ステップＳ１０４肯定）、報知情報を送信する（ステップＳ１０７）。【００７６】
［実施例２における移動体端末による報知情報受信処理手順］
次に、図８を用いて、実施例２における移動体端末２００による報知情報受信処理の手順について説明する。図８は、実施例２における移動体端末２００による報知情報受信処理手順を示すフローチャートである。なお、図８は、同一のセルに位置する移動体端末２００による報知情報の受信処理手順を示す。【００７７】
図８に示すように、移動体端末２００のページング処理部２０７は、基地局１００からページングを受信した場合に（ステップＳ２０１肯定）、着呼であるか否かを判定する（ステップＳ２０２）。そして、移動体端末２００は、ページング処理部２０７によって着呼であると判定された場合には（ステップＳ２０２肯定）、着呼制御を行う（ステップＳ２０３）。【００７８】
一方、ページング処理部２０７は、かかるページングが着呼を示さない場合には（ステップＳ２０２否定）、報知情報が変更されたと判定し、受信タイミング制御部２０８に対して、報知情報の修正履歴を含むＳＩＢを受信するように指示する。これにより、無線受信部２０２は、受信タイミング制御部２０８によって制御されることにより、報知情報の修正履歴を含むＳＩＢを受信する（ステップＳ２０４）。かかるＳＩＢは、復調部２０３、復号化部２０４を介して報知情報処理部２０６に出力される。【００７９】
そして、報知情報処理部２０６は、報知情報の修正履歴を含むＳＩＢに基づいて、基地局１００から送信される報知情報が更新されているか否かを判定する（ステップＳ２０５）。そして、報知情報処理部２０６は、ＳＩＢに含まれる変更情報が報知情報バッファ２０５に記憶されていない場合には、報知情報が変更されていると判定する（ステップＳ２０５肯定）。そして、報知情報処理部２０６は、報知情報バッファ２０５に記憶されている報知情報をＳＩＢに含まれる変更情報に更新する（ステップＳ２０６）。【００８０】
一方、報知情報処理部２０６は、ＳＩＢに含まれる変更情報が報知情報バッファ２０５に記憶されている場合には、報知情報が変更されていないと判定し（ステップＳ２０５否定）、処理を終了する。【００８１】
［実施例２における移動体端末によるセル移動時の報知情報受信処理手順］
次に、図９を用いて、実施例２における移動体端末２００によるセル移動時の報知情報受信処理の手順について説明する。図９は、実施例２における移動体端末２００によるセル移動時の報知情報受信処理手順を示すフローチャートである。なお、図９は、セルを移動した移動体端末２００による報知情報の受信処理手順を示す。【００８２】
図９に示すように、移動体端末２００の受信タイミング制御部２０８は、移動体端末２００がセルを移動した場合に（ステップＳ３０１肯定）、「Ｖａｌｕｅ  ｔａｇ」が含まれるＳＩＢを受信するように無線受信部２０２を制御する。【００８３】
これにより、無線受信部２０２は、移動体端末２００がセルを移動した場合に（ステップＳ３０１肯定）、「Ｖａｌｕｅ  ｔａｇ」が含まれるＳＩＢを受信する（ステップＳ３０２）。無線受信部２０２によって受信されたＳＩＢは、復調部２０３、復号化部２０４を介して報知情報処理部２０６に出力される。【００８４】
そして、報知情報処理部２０６は、復号化部２０４からＳＩＢを入力された場合に、かかるＳＩＢに含まれるセルＩＤと一致する報知情報が報知情報バッファ２０５に記憶されているか否かを判定する（ステップＳ３０３）。【００８５】
そして、報知情報処理部２０６は、ＳＩＢに含まれるセルＩＤと一致する報知情報が報知情報バッファ２０５に記憶されていない場合には（ステップＳ３０３否定）、受信タイミング制御部２０８に対して、全てのＳＩＢを受信するように指示する。これにより、無線受信部２０２は、全てのＳＩＢを受信する（ステップＳ３０４）。そして、報知情報処理部２０６は、無線受信部２０２によって受信された全てのＳＩＢに基づいて、報知情報バッファ２０５に記憶されている報知情報を更新する（ステップＳ３０５）。【００８６】
一方、報知情報処理部２０６は、ＳＩＢに含まれるセルＩＤと一致する報知情報が報知情報バッファ２０５に記憶されている場合には（ステップＳ３０３肯定）、「Ｖａｌｕｅ  ｔａｇ」が一致するか否かを判定する（ステップＳ３０６）。具体的には、報知情報処理部２０６は、ＳＩＢに含まれるセルＩＤと一致する報知情報バッファ２０５内の報知情報の「Ｖａｌｕｅ  ｔａｇ」と、ＳＩＢに含まれる「Ｖａｌｕｅ  ｔａｇ」とが一致するか否かを判定する。【００８７】
そして、報知情報処理部２０６は、双方の「Ｖａｌｕｅ  ｔａｇ」が一致する場合には（ステップＳ３０６肯定）、報知情報バッファ２０５に記憶されている報知情報を更新することを要しないと判定し、処理を終了する。【００８８】
一方、報知情報処理部２０６は、双方の「Ｖａｌｕｅ  ｔａｇ」が一致しない場合には（ステップＳ３０６否定）、受信タイミング制御部２０８に対して、報知情報の修正履歴を含むＳＩＢを受信するように指示する。これにより、無線受信部２０２は、報知情報の修正履歴を含むＳＩＢを受信する（ステップＳ３０７）。そして、報知情報処理部２０６は、無線受信部２０２によって受信されたＳＩＢに含まれる修正履歴に基づいて、報知情報バッファ２０５に記憶されている報知情報を更新する（ステップＳ３０８）。【００８９】
［実施例２の効果］
上述してきたように、実施例２に係る無線通信システム２において、基地局１００は、修正履歴を含む報知情報を送信する。そして、基地局１００は、報知情報が変更された場合には、ページングを送信することにより、報知情報が変更された旨を移動体端末２００に通知する。そして、移動体端末２００は、報知情報が変更された旨の通知を受け付けた場合には、全ての報知情報を受信するのではなく、報知情報の修正履歴を受信して、受信した修正履歴に基づいて自装置が保持する報知情報を更新する。【００９０】
また、実施例２における移動体端末２００は、セルを移動した場合に、「Ｖａｌｕｅ  ｔａｇ」が含まれるＳＩＢを受信して、セルＩＤと「Ｖａｌｕｅ  ｔａｇ」とに基づいて、基地局１００から送信される報知情報が更新されたか否かを判定する。そして、移動体端末２００は、基地局１００から送信される報知情報が更新されている場合には、全ての報知情報を受信するのではなく、報知情報の修正履歴を受信して、受信した修正履歴に基づいて自装置が保持する報知情報を更新する。【００９１】
これにより、実施例２における移動体端末２００は、報知情報が変更された場合や、セルを移動した場合であっても、修正履歴だけを受信するので、報知情報の受信処理にかかる消費電力を低減することができる。また、移動体端末２００は、報知情報の修正履歴に含まれる変更情報を用いて報知情報を更新するので、報知情報の更新処理にかかる消費電力を低減することができる。
【実施例３】
【００９２】
ところで、本願の開示する無線通信システム等は、上述した実施例以外にも、種々の異なる形態にて実施されてよい。そこで、実施例３では、本願の開示する無線通信システム等の他の実施例について説明する。【００９３】
［報知情報の修正履歴（１）］
上記実施例２では、図５に示した例のように、報知情報の変更情報を修正履歴として生成する例を示した。しかし、基地局１００は、報知情報の「Ｖａｌｕｅ  ｔａｇ」と、かかる「Ｖａｌｕｅ  ｔａｇ」が示す報知情報において変更された変更情報とが対応付けられた修正履歴を生成してもよい。【００９４】
図１０に、「Ｖａｌｕｅ  ｔａｇ」と変更情報とが対応付けられた修正履歴の一例を示す。図１０に示した例において、基地局１００の修正履歴生成部１０５は、修正履歴Ｒ２１、修正履歴Ｒ２２、修正履歴Ｒ２３の順に、報知情報の修正履歴を生成する。具体的には、修正履歴生成部１０５は、まず、報知情報生成部１０４から、変更情報『セルＩＤ「ＸＸＸ」への移行条件である受信電力を「３ｄＢ」へ変更』を受け付けたものとする。さらに、修正履歴生成部１０５は、報知情報生成部１０４から、「Ｖａｌｕｅ  ｔａｇ」＝「１」を受け付けたものとする。かかる場合に、修正履歴生成部１０５は、図１０に示した例のように、修正履歴Ｒ２１を生成する。【００９５】
その後に、修正履歴生成部１０５は、報知情報生成部１０４から、変更情報『周辺セルリストからセルＩＤ「ＹＹＹ」を削除』と、変更情報『周辺セルリストからセルＩＤ「ＺＺＺ」を削除』を受け付けたものとする。さらに、修正履歴生成部１０５は、報知情報生成部１０４から、「Ｖａｌｕｅ  ｔａｇ」＝「２」を受け付けたものとする。かかる場合に、修正履歴生成部１０５は、図１０に示した例のように、修正履歴Ｒ２２を生成する。すなわち、「Ｖａｌｕｅ  ｔａｇ」＝「１」の報知情報と、「Ｖａｌｕｅ  ｔａｇ」＝「２」の報知情報とは、変更情報『周辺セルリストからセルＩＤ「ＹＹＹ」を削除』及び『周辺セルリストからセルＩＤ「ＺＺＺ」を削除』が含まれるか否かという点で異なる。【００９６】
その後に、修正履歴生成部１０５は、報知情報生成部１０４から、変更情報『ページング周期を「８」に変更』を受け付けたものとする。さらに、修正履歴生成部１０５は、報知情報生成部１０４から、「Ｖａｌｕｅ  ｔａｇ」＝「３」を受け付けたものとする。かかる場合に、修正履歴生成部１０５は、図１０に示した例のように、修正履歴Ｒ２３を生成する。すなわち、「Ｖａｌｕｅ  ｔａｇ」＝「２」の報知情報と、「Ｖａｌｕｅ  ｔａｇ」＝「３」の報知情報とは、変更情報『ページング周期を「８」に変更』が含まれるか否かという点で異なる。【００９７】
移動体端末２００の報知情報処理部２０６は、図１０に例示した報知情報の修正履歴を受け付けた場合に、かかる修正履歴から、報知情報バッファ２０５に記憶されている「Ｖａｌｕｅ  ｔａｇ」と異なる「Ｖａｌｕｅ  ｔａｇ」に対応する変更情報を取得する。そして、報知情報処理部２０６は、取得した変更情報に基づいて、報知情報バッファ２０５に記憶されている報知情報を更新する。【００９８】
このように、基地局１００が「Ｖａｌｕｅ  ｔａｇ」と変更情報とが対応付けられた修正履歴を送信することで、移動体端末２００は、報知情報バッファ２０５に反映されていない変更情報だけを更新することができる。これにより、移動体端末２００は、報知情報の更新処理にかかる消費電力を低減することができる。【００９９】
［報知情報の修正履歴（２）］
上記実施例２では、図５に示した例のように、報知情報の変更情報を修正履歴として生成する例を示した。しかし、基地局１００は、報知情報の変更日時と、かかる変更日時において変更された変更情報とが対応付けられた修正履歴を生成してもよい。【０１００】
図１１に、報知情報の変更日時と変更情報とが対応付けられた修正履歴の一例を示す。図１１に示した例において、基地局１００の修正履歴生成部１０５は、修正履歴Ｒ３１、修正履歴Ｒ３２、修正履歴Ｒ３３の順に、報知情報の修正履歴を生成する。具体的には、修正履歴生成部１０５は、まず、報知情報生成部１０４から、「１３時２５分１０秒」に、変更情報『セルＩＤ「ＸＸＸ」への移行条件である受信電力を「３ｄＢ」へ変更』を受け付けたものとする。かかる場合に、修正履歴生成部１０５は、図１１に示した例のように、修正履歴Ｒ３１を生成する。【０１０１】
その後に、修正履歴生成部１０５は、報知情報生成部１０４から、「１３時４０分２５秒」に、変更情報『周辺セルリストからセルＩＤ「ＹＹＹ」を削除』と、変更情報『周辺セルリストからセルＩＤ「ＺＺＺ」を削除』を受け付けたものとする。かかる場合に、修正履歴生成部１０５は、図１１に示した例のように、修正履歴Ｒ３２を生成する。その後に、修正履歴生成部１０５は、報知情報生成部１０４から、「１３時５２分０５秒」に、変更情報『ページング周期を「８」に変更』を受け付けたものとする。かかる場合に、修正履歴生成部１０５は、図１１に示した例のように、修正履歴Ｒ３３を生成する。【０１０２】
移動体端末２００の報知情報処理部２０６は、図１１に例示した報知情報の修正履歴を受け付けた場合に、かかる修正履歴から、報知情報バッファ２０５に記憶されている報知情報の更新日時よりも未来の時間に更新された変更情報を取得する。そして、報知情報処理部２０６は、取得した変更情報に基づいて、報知情報バッファ２０５に記憶されている報知情報を更新する。【０１０３】
このように、基地局１００が変更日時と変更情報とが対応付けられた修正履歴を送信することで、移動体端末２００は、報知情報バッファ２０５に反映されていない変更情報だけを更新することができる。これにより、移動体端末２００は、報知情報の更新処理にかかる消費電力を低減することができる。【０１０４】
なお、基地局１００は、図１０や図１１に示した各変更情報に、かかる変更情報が含まれるＳＩＢを識別するＳＩＢ番号を含む修正履歴を生成してもよい。例えば、図１０に示した例において、変更情報『セルＩＤ「ＸＸＸ」への移行条件である受信電力を「３ｄＢ」へ変更』がＳＩＢ３に含まれるものとする。かかる場合に、基地局１００は、「Ｖａｌｕｅ  ｔａｇ」とともに、変更情報が含まれるＳＩＢを識別するＳＩＢ番号「３」を含む修正履歴を生成してもよい。なお、ここでは、ＳＩＢ３のＳＩＢ番号は「３」であるものとする。【０１０５】
これにより、移動体端末２００は、報知情報バッファ２０５に報知情報とＳＩＢ番号とを対応付けて記憶する場合に、報知情報の修正履歴に含まれるＳＩＢ番号に基づいて、変更情報を更新することができる。【０１０６】
［報知情報の修正履歴（３）］
上記実施例２では、図２及び図３に示した例のように、報知情報の修正履歴を含むＳＩＢを報知情報の最後に送信する例を示した。しかし、基地局１００は、「Ｖａｌｕｅ  ｔａｇ」を含むＳＩＢの後に、報知情報を含むＳＩＢを送信してもよい。かかる例について、図１２を用いて説明する。【０１０７】
図１２は、報知情報の送受信処理の一例を示す図である。図１２に示した例において、ＳＩＢ１〜ＳＩＢ１１には、報知情報に関する各種情報が含まれ、ＳＩＢ１２には、報知情報の修正履歴が含まれるものとする。また、ＳＩＢ１には、「Ｖａｌｕｅ  ｔａｇ」が含まれるものとする。そして、図１２に示した例において、基地局１００は、ＳＩＢ１、ＳＩＢ１２、ＳＩＢ２〜ＳＩＢ１１の順に送信する。【０１０８】
ここで、ＳＩＢ２に含まれる報知情報に変更があったものとする。また、移動体端末２００は、基地局１００によって形成されるセルから他のセルに移動した後に、基地局１００によって形成されるセル内に再度移動したものとする。かかる場合に、移動体端末２００は、基地局１００から送信される報知情報のうち、「Ｖａｌｕｅ  ｔａｇ」が含まれるＳＩＢ１を受信する。そして、移動体端末２００は、報知情報バッファ２０５に記憶されている報知情報の「Ｖａｌｕｅ  ｔａｇ」と、ＳＩＢ１に含まれる「Ｖａｌｕｅ  ｔａｇ」とが異なる場合には、報知情報の修正履歴が含まれるＳＩＢ１２を受信する。そして、移動体端末２００は、ＳＩＢ１２に含まれる報知情報の修正履歴に基づいて、報知情報バッファ２０５に記憶されている報知情報を更新する。【０１０９】
このように、基地局１００がＳＩＢ１の後にＳＩＢ１２を送信することにより、移動体端末２００は、セル移動をした場合に、ＳＩＢ１及びＳＩＢ１２を連続的に受信することができる。【０１１０】
［報知情報の修正履歴（４）］
上記実施例２では、報知情報の修正履歴を含むＳＩＢを新たに生成する例を示した。しかし、基地局１００は、「Ｖａｌｕｅ  ｔａｇ」と、報知情報の修正履歴とを含むＳＩＢを生成してもよい。かかる例について、図１３を用いて説明する。【０１１１】
図１３は、報知情報の送受信処理の一例を示す図である。図１３に示した例において、ＳＩＢ１には、「Ｖａｌｕｅ  ｔａｇ」と、報知情報の修正履歴とが含まれるものとする。また、ＳＩＢ２〜ＳＩＢ１１には、報知情報に関する各種情報が含まれる。【０１１２】
図１３に示した例では、移動体端末２００は、セルを移動した場合に、基地局１００から送信される報知情報のうち、ＳＩＢ１を受信する。そして、移動体端末２００は、報知情報バッファ２０５に記憶されている報知情報の「Ｖａｌｕｅ  ｔａｇ」と、ＳＩＢ１に含まれる「Ｖａｌｕｅ  ｔａｇ」とが異なるか否かを判定する。そして、移動体端末２００は、双方の「Ｖａｌｕｅ  ｔａｇ」が異なる場合には、ＳＩＢ１に含まれる報知情報の修正履歴に基づいて、報知情報バッファ２０５に記憶されている報知情報を更新する。【０１１３】
このように、基地局１００が「Ｖａｌｕｅ  ｔａｇ」と報知情報の修正履歴とを含むＳＩＢを送信することにより、移動体端末２００は、セル移動をした場合に、かかるＳＩＢを受信するだけで、報知情報を更新することができる。このため、図１３に示した例では、移動体端末２００は、報知情報を更新処理にかかる消費電力を低減することができる。【０１１４】
［報知情報の修正履歴（５）］
上記実施例２では、報知情報の変更情報を含む修正履歴を生成する例を示した。しかし、基地局１００は、報知情報が変更されたＳＩＢを識別するＳＩＢ番号を修正履歴として生成してもよい。かかる例について、図１４を用いて説明する。【０１１５】
図１４は、報知情報の送受信処理の一例を示す図である。図１４に示した例において、ＳＩＢ１〜ＳＩＢ１１には、報知情報に関する各種情報が含まれ、ＳＩＢ１２には、報知情報が変更されたＳＩＢを識別するＳＩＢ番号が含まれるものとする。ここで、ＳＩＢ２に含まれる報知情報に変更があったものとする。すなわち、ＳＩＢ１２には、ＳＩＢ２を識別するＳＩＢ番号「２」が含まれるものとする。【０１１６】
かかる場合に、移動体端末２００は、基地局１００からページングを受信した場合に、まず、ＳＩＢ１２を受信する。そして、移動体端末２００は、ＳＩＢ１２に含まれるＳＩＢ番号を取得して、かかるＳＩＢ番号が示すＳＩＢを受信する。図１４に示した例では、ＳＩＢ１２にＳＩＢ番号「２」が含まれるので、基地局１００は、ＳＩＢ１２を受信した後に、ＳＩＢ２を受信する。そして、基地局１００は、ＳＩＢ２に含まれる報知情報に基づいて、報知情報バッファ２０５に記憶されている報知情報を更新する。【０１１７】
［プログラム］
また、上記実施例で説明した各種の処理は、あらかじめ用意されたプログラムをパーソナルコンピュータやワークステーションなどのコンピュータで実行することによって実現することができる。そこで、以下では、図１５を用いて、図１に示した送信機１０と同様の機能を有する送信制御プログラムを実行するコンピュータの一例を説明する。また、以下では、図１６を用いて、図１に示した受信機２０と同様の機能を有する受信制御プログラムを実行するコンピュータの一例を説明する。【０１１８】
図１５は、送信制御プログラムを実行するコンピュータを示す図である。図１５に示すように、コンピュータ１０００は、ＲＡＭ（Random  Access  Memory）１０１０と、キャッシュ１０２０と、ＨＤＤ１０３０と、ＲＯＭ（Read  Only  Memory）１０４０と、ＣＰＵ（Central  Processing  Unit）１０５０、バス１０６０とを有する。ＲＡＭ１０１０、キャッシュ１０２０、ＨＤＤ１０３０、ＲＯＭ１０４０、ＣＰＵ１０５０は、バス１０６０によって接続されている。【０１１９】
ＲＯＭ１０４０には、図１に示した送信機１０と同様の機能を発揮する送信制御プログラムが予め記憶されている。具体的には、ＲＯＭ１０４０には、修正履歴生成プログラム１０４１と、送信プログラム１０４２とが記憶されている。そして、ＣＰＵ１０５０は、ＲＯＭ１０４０から、修正履歴生成プログラム１０４１、送信プログラム１０４２を読み出して実行する。【０１２０】
これにより、図１５に示すように、修正履歴生成プログラム１０４１は、修正履歴生成プロセス１０５１になる。また、送信プログラム１０４２は、送信プロセス１０５２になる。なお、修正履歴生成プロセス１０５１は、図１に示した修正履歴生成部１１に対応する。また、送信プロセス１０５２は、図１に示した送信部１２に対応する。【０１２１】
図１６は、受信制御プログラムを実行するコンピュータを示す図である。図１６に示すように、コンピュータ２０００は、ＲＡＭ２０１０と、キャッシュ２０２０と、ＨＤＤ２０３０と、ＲＯＭ２０４０と、ＣＰＵ２０５０、バス２０６０とを有する。ＲＡＭ２０１０、キャッシュ２０２０、ＨＤＤ２０３０、ＲＯＭ２０４０、ＣＰＵ２０５０は、バス２０６０によって接続されている。【０１２２】
ＲＯＭ２０４０には、図１に示した受信機２０と同様の機能を発揮する受信制御プログラムが予め記憶されている。具体的には、ＲＯＭ２０４０には、受信プログラム２０４１と、更新プログラム２０４２とが記憶されている。そして、ＣＰＵ２０５０は、ＲＯＭ２０４０から、受信プログラム２０４１、更新プログラム２０４２を読み出して実行する。【０１２３】
これにより、図１６に示すように、受信プログラム２０４１は、受信プロセス２０５１になる。また、更新プログラム２０４２は、更新プロセス２０５２になる。なお、受信プロセス２０５１は、図１に示した受信部２２に対応する。また、更新プロセス２０５２は、図１に示した更新部２３に対応する。【０１２４】
なお、上記した各プログラム１０４１、１０４２、２０４１及び２０４２については、必ずしもＲＯＭ１０４０に記憶させなくてもよい。例えば、コンピュータ１０００又は２０００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」に各プログラムを記憶させてもよい。または、コンピュータ１０００又は２０００の内外に備えられるハードディスクドライブ（ＨＤＤ）などの「固定用の物理媒体」に各プログラムを記憶させてもよい。または、公衆回線、インターネット、ＬＡＮ、ＷＡＮなどを介してコンピュータ１０００又は２０００に接続される「他のコンピュータ（またはサーバ）」に各プログラムを記憶させてもよい。そして、コンピュータ１０００又は２０００は、上述したフレキシブルディスク等から各プログラムを読み出して実行するようにしてもよい。【０１２５】
［システム構成等］
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図４に示した報知情報生成部１０４と修正履歴生成部１０５とは統合されてもよい。
【符号の説明】
【０１２６】
１、２  無線通信システム
１０  送信機
１１  修正履歴生成部
１２  送信部
２０  受信機
２１  記憶部
２２  受信部
２３  更新部
９１  基地局
９２  移動体端末
１００  基地局
１０１  ページング生成部
１０２  符号化部
１０３  変調部
１０４  報知情報生成部
１０５  修正履歴生成部
１０６  報知情報バッファ
１０７  送信タイミング制御部
１０８  符号化部
１０９  変調部
１１０  無線送信部
１１１  アンテナ
２００  移動体端末
２０１  アンテナ
２０２  無線受信部
２０３  復調部
２０４  復号化部
２０５  報知情報バッファ
２０６  報知情報処理部
２０７  ページング処理部
２０８  受信タイミング制御部
１０００、２０００  コンピュータ
１０１０、２０１０  ＲＡＭ
１０２０、２０２０  キャッシュ
１０３０、２０３０  ＨＤＤ
１０４０、２０４０  ＲＯＭ
１０４１  修正履歴生成プログラム
１０４２  送信プログラム
１０５０、２０５０  ＣＰＵ
１０５１  修正履歴生成プロセス
１０５２  送信プロセス
１０６０、２０６０  バス
２０４１  受信プログラム
２０４２  更新プログラム
２０５１  受信プロセス
２０５２  更新プロセス
【図１】
0005392399.tif 000002
【図２】
0005392399.tif 000003
【図３】
0005392399.tif 000004
【図４】
0005392399.tif 000005
【図５】
0005392399.tif 000006
【図６】
0005392399.tif 000007
【図７】
0005392399.tif 000008
【図８】
0005392399.tif 000009
【図９】
0005392399.tif 000010
【図１０】
0005392399.tif 000011
【図１１】
0005392399.tif 000012
【図１２】
0005392399.tif 000013
【図１３】
0005392399.tif 000014
【図１４】
0005392399.tif 000015
【図１５】
0005392399.tif 000016
【図１６】
0005392399.tif 000017
【図１７】
0005392399.tif 000018
【図１８】
0005392399.tif 000019
【図１９】
0005392399.tif 000020